(57)【要約】【課題】盗難の発生を防止可能な照明光源を提供する。【解決手段】半導体素子の発光部２０を光源とし、口金３を介して外部の電源に接続される電球形ＬＥＤランプ１であって、人の有無を感知する人感センサ３１と、振動を検知する振動センサ４３と、警報を発する警報部４２と、人感センサ３１が人を感知しているとき、振動センサ４３が振動を検知した場合、警報部４２に警報させるマイコン４５とを備える。【選択図】図３
2011076141.tif 000002
【特許請求の範囲】
【請求項１】
半導体素子を光源とし、接続端子を介して外部の電源に接続される照明用光源であって、
人の有無を検知する人感センサと、
振動を検知する振動センサと、
警報を発する警報手段と、
前記人感センサが人を検知すると共に、前記振動センサが振動を検知した場合、前記警報手段に警報させる制御手段と
を備えることを特徴とする照明用光源。
【請求項２】
さらに、前記接続端子を介して前記電源から給電された電力を蓄える蓄電手段を備え、
前記蓄電手段は、前記外部の電源からの電力供給が途絶えたとき、前記警報手段に電力を供給することを特徴とする請求項１に記載の照明用光源。
【請求項３】
前記制御手段を収容する筐体を備え、
前記接続端子は、前記筐体の端部に設けられたエジソン形口金であり、
前記人感センサは、前記筐体における前記端部とは反対側の端部に設けられ、前記口金の中心軸と平行な軸を中心として当該人感センサから遠ざかるにつれ拡大する感知範囲を有していることを特徴とする請求項２に記載の照明用光源。
【請求項４】
前記振動センサは、前記筐体の振動を検知することを特徴とする請求項３に記載の照明用光源。
【請求項５】
前記制御手段は、前記振動センサが振動を検知していない場合において、前記人感センサが人を検知している場合には前記半導体素子を点灯させ、前記人感センサが人を検知していない場合には前記半導体素子を消灯させることを特徴とする請求項１から４のいずれかに記載の照明用光源。
【請求項６】
前記警報手段は、ブザーであることを特徴とする請求項１から５のいずれかに記載の照明用光源。
【発明の詳細な説明】
【技術分野】
【０００１】
本発明は、照明用光源に関し、特に、照明用光源の盗難を防止する技術に関する。
【背景技術】
【０００２】
近年、電球や蛍光灯などの照明用光源では、ＬＥＤなどの高効率かつ長寿命の発光素子を用いるものが登場している。
このうち、例えば、電球形ＬＥＤランプは、従来の照明器具のソケットにそのまま回転させながら挿し込むだけで、一般の電球と同様に使用することができる。
また、発光素子として有機ＥＬを利用する照明用光源も登場し始めており、これらもＬＥＤランプと同様に、一般の照明用光源との置き換えが期待されている。
【０００３】
現在、発光素子を用いる照明光源は、まだまだ普及率が低く、生産量も少ないため、その製造コストは、従来の照明用光源に比べて高くならざるを得ない。
しかしながら、当該照明光源は、発光効率および製品寿命が一般の照明用光源をはるかに上回っているため、ランニングコストが非常に少なくて済み、イニシャルコストとランニングコストとを総合的に考慮しても、一般の照明用光源よりもコストメリットの点で優れたものとなっている。
【０００４】
今のところ、このような発光素子を用いた照明光源は、主にホテルや店舗などを中心として普及しており、今後は一般家庭への普及が期待されている。
【先行技術文献】
【特許文献】
【０００５】
【特許文献１】特開２０００−１６３６３号公報
【発明の概要】
【発明が解決しようとする課題】
【０００６】
しかしながら、ホテルや店舗などの人が出入りする場所で、このような高価な照明光源を使用した場合、これが容易に着脱可能な構造となっていることもあって、当該照明光源を狙った盗難が発生する場合がある。
本発明は、上記問題点に鑑みてなされたものであって、盗難の発生を防止可能な照明光源を提供することを目的とする。
【課題を解決するための手段】
【０００７】
本発明に係る照明用光源は、半導体素子を光源とし、接続端子を介して外部の電源に接続される照明用光源であって、人の有無を検知する人感センサと、振動を検知する振動センサと、警報を発する警報手段と、前記人感センサが人を検知すると共に、前記振動センサが振動を検知した場合、前記警報手段に警報させる制御手段とを備えることを特徴とする。
【発明の効果】
【０００８】
上記構成によれば、盗人が当該照明用光源に近づくと、人感センサがこれを検知し、さらに、当該盗人による接続端子の接続解除動作で振動センサが振動を検知すると、警報手段が警報を発するため、その警報によって当該照明用光源の持ち去りを、躊躇させたり、諦めさせたりすることができ、その結果、盗難を防止することができる。
【図面の簡単な説明】
【０００９】
【図１】本実施の形態に係る照明用光源の構成を示す斜視図
【図２】本実施の形態に係る照明用光源の構成を示す断面図
【図３】本実施の形態に係る照明用光源の回路図
【図４】本実施の形態に係るマイコンにおいて実施される制御の内容を示すフローチャート
【発明を実施するための形態】
【００１０】
以下、本発明の実施の形態に係る照明用光源を、電球形ＬＥＤランプに適用した場合の構成について、図面を参照しながら説明する。
［実施の形態］
＜概略構成＞
図１は、本実施の形態に係る電球形ＬＥＤランプの斜視図である。
【００１１】
図１に示すように、電球形ＬＥＤランプ１は、照明用光源本体部２に口金３（例えばＥ型口金）が取り付けられたものである。
ここで、照明用光源本体部２には、４つの発光部２０と人感センサユニット３０が設けられており、これによって、本実施の形態における電球形ＬＥＤランプ１は、周囲における人の有無によって、照明をＯＮ・ＯＦＦして、節電を図っている。
【００１２】
図２は、実施の形態における電球形ＬＥＤランプ１の構成を示す切り欠き断面図である。
照明用光源本体部２は、ケース１１、基台１２、発光部２０、人感センサユニット３０および点灯回路ユニット４０などからなる。
ケース１１は、その外形が円錐状であって、径が細くなっている側の端部に、口金３が取り付けられる構造となっており、他端側にはその開口を塞ぐようにして基台１２が取り付けられている。
【００１３】
人感センサユニット３０は、人感センサ３１および保護カバー３２などからなる。
人感センサ３１は、受光面に入射した赤外線の強度変化を検出することにより、人の存在を検知するものであり、基台１２の中心に設けられている。
厳密には、人感センサ３１は、人以外であっても、動物などの赤外線を発するものが感知範囲に入れば、その存在を検知する。
【００１４】
当該感知範囲は、同図に示すように、人感センサ３１の受光面の正面側にあり、当該受光面に直交して当該受光面の裏面側から正面側へと向かう直線を基準として、これを０°〜α°傾けた範囲となっている。
当該αの値は、保護カバーのレンズ配光の違うものを取り替えることで、任意の値に設定でき、ここでは、９０°に設定している。
【００１５】
上記感知範囲の中心軸３１ａ、つまり、上記円錐の中心軸と、口金３の中心軸３ａとが、略同一直線上に位置するように設定されている。
これにより、電球形ＬＥＤランプ１を回転させて口金３を照明装置のソケット（不図示）に螺合させる際、当該回転に伴って感知範囲が変化することがない。
基台１２は、円盤状の部材であって、例えば、エポキシなどの耐熱温度の高い樹脂などからなり、外表面および内表面には、プリント配線（不図示）が設けられており、さらに、上記両面に設けられたプリント配線同士を電気的に接続するビアホール（不図示）が設けられている。
【００１６】
なお、上記プリント配線および上記ビアホールは、点灯回路ユニット４０と発光部２０および人感センサユニット３０とを接続する給電経路となっている。
発光部２０は、例えば、チップ型白色ＬＥＤ（Light Emitting Diode）であって、基台１２の外面にバンプ接続されている。
なお、上記ＬＥＤから放射される光には、赤外線帯域の光は含まれていない。
【００１７】
このため、本実施の形態に係る電球形ＬＥＤランプ１のように、発光部２０が赤外線を検出する人感センサ３１に近接して配置されていても、人感センサ３１の赤外線の検出に影響を及ぼさない。
点灯回路ユニット４０は、ケース１１の内部に収納されており、回路基板４１および警報部４２、振動センサ４３、蓄電部４４およびマイコン４５などで構成される。なお、口金３および点灯回路ユニット４０間を電気的に接続する配線は本発明の本質部分ではないので図示を省略している。
【００１８】
回路基板４１は、プリント配線基板である。
警報部４２は、ブザーであり、電力が供給されると警報音を発する。
振動センサ４３は、電球形ＬＥＤランプ１を回転させながら照明装置から取り外す際に生じる振動を検出する感度を少なくとも有している。
そして、振動センサ４３は、振動を検出すると、その旨を示す信号をマイコン４５に出力する。
【００１９】
蓄電部４４は、キャパシタであって、電圧が印加されることにより、口金３を介して供給された余剰電力を常時蓄積すると共に、当該電圧の印加が中断されることにより、蓄えていた電力を放電する。
本実施の形態のマイコン４５は、ＣＰＵ４５ａ、ＲＡＭ４５ｂ、ＲＯＭ４５ｃなどを有する。
【００２０】
ＣＰＵ４５ａは、人感センサユニット３０が、人を検知した場合に発光部２０を点灯させ、人を検知しなくなった場合に発光部２０を消灯させる通常の点灯制御に加え、人感センサユニット３０が人を検出している間に、振動センサ４３が振動を検出した場合、警報部４２により警報を鳴らす防犯制御も合わせて実施する。
このように点灯制御と防犯制御とを合わせた制御を点灯防犯制御という。
【００２１】
ＲＡＭ４５ｂは、揮発性のメモリであって、ＣＰＵ４５ａにおけるプログラム実行時のワークエリアとなる。
ＲＯＭ４５ｃには、上記点灯防犯制御を実施するためのプログラム等が格納されている。
図３は、本実施の形態に係る電球形ＬＥＤランプ１の回路図である。
【００２２】
なお、同図中の実線は電源線を示し、破線は信号線を示す。
同図に示すように、ＡＣ／ＤＣコンバータ６０は、口金３に接続されており、当該口金３を介して外部から印加される交流電圧を直流電圧に変換する。
そして、ＡＣ／ＤＣコンバータ６０に、定電流回路６１、レギュレータ６２および蓄電部（キャパシタ）４４がそれぞれ並列に接続されている。
【００２３】
なお、これらはいずれも公知の技術によって作成可能なものである。
定電流回路６１は、ＡＣ／ＤＣコンバータ６０を介して印加された電圧によって流れる電流の値を一定に保つ回路であり、これと４つの発光部２０とが直列接続され、これらの発光部２０に所定の電流を流す。さらに、マイコン４５からの指示により、これらの発光部２０に流す電流をＯＮ・ＯＦＦする機能を有する。
【００２４】
蓄電部４４は、静電容量が１００μＦのキャパシタであって、ＡＣ／ＤＣコンバータ６０を介して電力が供給されている場合には、上記静電容量が飽和するまで充電を行い、また、外部の電源との電気的接続が絶たれて電力が供給されなくなった場合には、蓄えていた電力を放電する。（以降、下線部に適切な数値を記入願います。）
これによって、外部の電源との電気的接続が完全に絶たれても、マイコン４５と警報部４２の消費電流が２０ｍＡ程度の場合に約３０秒間の間、レギュレータ６２に電力が供給される。
【００２５】
一方、蓄電部４４による放電が行われたとしても、蓄電部４４と定電流回路６１との間に設けられたダイオード６３の存在により、定電流回路６１には電力が供給されない構成となっている。
これは、電球形ＬＥＤランプ１が持ち去られた後に、警報部４２から発する警報が少しでも長く持続するように、無駄な電力消費を抑えるためである。
【００２６】
マイコン４５、振動センサ４３および人感センサ３１は、レギュレータ６２を介して電力が供給される。
このため、外部の電源との電気的接続が絶たれても、蓄電部４４が完全に放電するまでの間、当該蓄電部４４から電力が供給される。
また、マイコン４５は、警報部４２に電力を供給しており、上述の点灯防犯制御を実行するために、定電流回路６１をＯＮ・ＯＦＦすると共に、警報部４２をＯＮ・ＯＦＦする。
【００２７】
図４は、マイコン４５において実施される点灯防犯制御の内容を示すフローチャートである。
照明装置をＯＮ・ＯＦＦする外部電源のスイッチがＯＮされると（ステップＳ１００）、ＣＰＵ４５ａは、人感センサ３１が人を感知しているか否かを判定し、人がいることを感知している場合には（ステップＳ１０１：ＹＥＳ）、現在点灯中であるか否かを判定し、現在点灯中でない場合には（ステップＳ１０２：ＮＯ）、当該電球形ＬＥＤランプ１に人が近づいたと考えられるので、定電流回路６１にＯＮするように指示して発光部２０を点灯させた後、ＲＡＭ４５ｂに格納されているカウント値をクリアする（ステップＳ１０４）。
【００２８】
一方、現在点灯中である場合には（ステップＳ１０２：ＹＥＳ）、ＲＡＭ４５ｂに格納されているカウント値をクリアするステップＳ１０４を実行する。
続いて、振動センサ４３が振動を検知しているか否かを判定し、振動を検知している場合には（ステップＳ１０５：ＹＥＳ）、当該電球形ＬＥＤランプ１が取り外されようとしている、つまり、盗難が発生していると考えられるので、警報部４２を鳴らし（ステップＳ１０６）、処理を終了する。
【００２９】
また、人感センサ３１が人を感知しているか否かを判定するステップＳ１０１において、人を感知していない場合（ステップＳ１０１：ＮＯ）、現在点灯中であるか否かを判定し、現在点灯中である場合には（ステップＳ１０７：ＹＥＳ）、ＣＰＵ４５ａは、ＲＡＭ４５ｂに格納されているカウント値を１インクリメントし（ステップＳ１０４）、カウント値が所定値を越えたか否かを判定し、所定値を越えていた場合（ステップＳ１０９：ＹＥＳ）、人が離れてから十分な時間が経過したと考えられるので、定電流回路６１に指示して発光部２０を消灯させ（ステップＳ１１０）、ＲＡＭ４５ｂに格納されているカウント値をクリアし（ステップＳ１１１）、人感センサ３１が人を感知しているか否かを判定するステップＳ１０１以降の処理を実行する。
【００３０】
また、現在点灯中であるか否かを判定するステップＳ１０７およびカウント値が所定値を越えたか否かを判定するステップＳ１０９において、否定的な判定が行われた場合（ステップＳ１０７：ＮＯ、ステップＳ１０９：ＮＯ）には、人感センサ３１が人を感知しているか否かを判定するステップＳ１０１以降の処理を実行する。
以上のように、本実施の形態における電球形ＬＥＤランプ１は、人が感知されると共に、振動が感知されると警報部４２が警報を発する。
【００３１】
このため、当該電球形ＬＥＤランプ１を盗もうとして、これを回転させようとすると警報部４２の警報が鳴り、盗人による当該球形ＬＥＤランプ１の持ち去りを、躊躇させたり、諦めさせたりすることができ、その結果、盗難を防止することができる。
また、警報部４２が鳴っているときに、上記電球形ＬＥＤランプ１の口金３が照明器具のソケットから外され、電力供給が途絶えてしまった場合であっても、その直後からおよそ３０秒間は、キャパシタからブザーへと電力が供給され、警報が鳴り続けるので、盗人がこれを持ち去り難くすることができる。
【００３２】
なお、メンテナンス等の理由により、電球形ＬＥＤランプ１を交換しょうとする場合は、ステップＳ１００おいて、外部電源がＯＦＦとなっており、外部電源がＯＦＦされた時点から、２２秒程で、蓄電部４４が完全に放電するので、この後、電球形ＬＥＤランプ１を交換すれば、交換の際に警報がなることはない。
＜変形例＞
以上、本発明に係る照明用光源を実施の形態に基づいて具体的に説明してきたが、本発明の内容は、上記の実施の形態に限定されず、例えば、以下のような変形例が考えられる。
【００３３】
（１）上記実施の形態では、人感センサ３１は、赤外線を受光して、当該赤外線の強度変化を感知することにより、人の存在を感知するものとしたが、これに限らず、例えば、ＣＣＤ(charged-coupled device)イメージセンサであってもよく、これにより撮像された画像をマイコン４５によってパターンマッチングを行い、人がいることを検出してもよい。
【００３４】
また、場合によっては、周囲の磁界変化などを検出するセンサなどを用いて、人の有無を検知してもよいであろう。
（２）また、上記実施の形態では、発光部２０は、ＬＥＤであるとしたが、これに限らず、例えば、有機ＥＬ素子などの半導体素子であっても構わない。
（３）そして、上記実施の形態では、マイコン４５は、点灯制御と防犯制御を合わせて実行しているが、点灯制御を行わずに防犯制御のみを実行してもよい。
【００３５】
つまり、発光部２０の点灯および消灯は、主電源のＯＮ・ＯＦＦのみにより実行されるようにして、人感センサ３１から得られた人の有無に関する情報は、防犯制御、即ち、警報部４２をＯＮ・ＯＦＦするためだけに用いてもよい。
（４）また、上記実施の形態では、蓄電部４４は、キャパシタであるとしたが、これに限らず、キャパシタよりも蓄電容量が大きい２次電池などであってもよく、要するに、電力を蓄えることができる蓄電手段であればよい。
【００３６】
（５）そして、上記実施の形態では、警報部４２は、ケース１１の内部に設けているが、この構成に限られない。
例えば、警報部４２をケース１１の外面に設けてもよく、この場合、より警報音を遠くまで到達させることができる。
（６）さらに、上記実施の形態では、警報部４２は、ブザーであるとしたが、この構成に限るものではない。
【００３７】
例えば、警報部４２として、ブザーの代わりにスピーカを設け、これを用いて音声で盗人を威嚇してもよい。
また、場合によっては、発信機などをケース１１に内蔵して、電波によって盗難が発生したことを、ユーザに報知するようにしてもよいであろう。
（７）また、上記実施の形態では、人感センサ３１の感知範囲の中心軸３１ａと、口金３の中心軸３ａとが、略同一直線上に位置するように設定されているが、これに限らず、例えば、中心軸３１ａと中心軸３ａとが平行であるだけでもよい。
【００３８】
つまり、中心軸３１ａと中心軸３ａとが平行であれば、中心軸３１ａの延長線上から見下ろしたとき、互いの中心軸の位置がずれていてもよい。
何故なら、このずれによる口金３を照明装置のソケット（不図示）に螺合させる際の感知範囲の変化量は、たかだか５ｍｍ〜２０ｍｍであり、中心軸３１ａと中心軸３ａとが平行でなくなることに起因する感知範囲の変化量と比べると無視できるほど小さいからである。
【００３９】
（８）なお、上記実施の形態では、本発明に係る照明用光源を電球形ＬＥＤランプに適用した場合の例を説明したが、これに限られない。
例えば、蛍光灯形照明用光源などに適用できる。
また、上記実施の形態および上記変形例の内容をそれぞれ組み合わせるとしてもよい。
【産業上の利用可能性】
【００４０】
本発明は、照明一般に広く利用することができる。
【符号の説明】
【００４１】
１    電球形ＬＥＤランプ
２    照明用光源本体部
３    口金
１１    ケース
１２    基台
２０    発光部
３０    人感センサユニット
３１    人感センサ
３２    保護カバー
４０    点灯回路ユニット
４１    回路基板
４２    警報部
４３    振動センサ
４４    蓄電部
４５    マイコン
４５    警報部
４５ａ  ＣＰＵ
４５ｂ  ＲＡＭ
４５ｃ  ＲＯＭ
６０    ＡＣ／ＤＣコンバータ
６１    定電流回路
６２    レギュレータ
６３    ダイオード
【図１】
2011076141.tif 000003
【図２】
2011076141.tif 000004
【図３】
2011076141.tif 000005
【図４】
2011076141.tif 000006